(57)【特許請求の範囲】
【請求項１】
レンズ装置を着脱可能に装着する装着手段と、
上記レンズ装置から得られる被写体の光学像を電気信号に変換する撮像手段と、
上記レンズ装置の着脱を検出する検出手段と、
上記装着手段を介して上記レンズ装置に電源を供給する電源スイッチング手段と、
上記レンズ装置と通信する通信手段と、
上記検出手段により上記レンズ装置が装着されていることが検出されたとき、上記電源スイッチング手段をＯＮにして上記装着手段に電源を供給し、その後所定時間内に上記通信手段による通信が正常に行われなかったとき、上記電源スイッチング手段をＯＦＦにしてレンズ通信を待機状態にするとともに、上記レンズ装置との通信に使用する通信ポートを全てハイインピーダンスにする制御手段とを設けたことを特徴とする撮像装置。
【請求項２】
レンズ装置を着脱可能に装着する装着手段を介して上記レンズ装置から得られる被写体の光学像を電気信号に変換する撮像処理と、
上記レンズ装置の着脱を検出する検出処理と、
上記検出処理により上記レンズ装置が装着されていることが検出されたとき、上記装着手段を介して上記レンズ装置に電源を供給するための電源スイッチング手段をＯＮにして上記装着手段に電源を供給する制御処理と、
上記電源供給の後上記レンズ装置と通信を行い、その通信が所定時間内に正常に行われなかったとき、上記電源スイッチング手段をＯＦＦにしてレンズ通信を待機状態にするとともに、上記レンズ装置との通信に使用する通信ポートを全てハイインピーダンスにする制御処理とを実行するためのプログラムを記憶したコンピュータ読み取り可能な記憶媒体。
【発明の詳細な説明】
【０００１】
【発明の属する技術分野】
本発明は、交換レンズビデオカメラシステム等に用いて好適な撮像装置及びコンピュータ読み取り可能な記憶媒体に関するものである。
【０００２】
【従来の技術】
図１に撮像システムとしてのレンズ交換可能なビデオカメラシステムの第１の従来例を示す。尚、この図１は後述する本発明の第１の実施の形態と実質的に同一構成である。
図１において、１００はレンズ装置、２００は撮像装置としてのカメラ本体で、レンズ装置１００が着脱可能に装着される。１５は被写体である。
【０００３】
レンズ装置１００において、フォーカスレンズ１は、レンズマイコン１４により光軸方向に移動されて焦点合わせを行う。このフォーカスレンズ１を通った光は、絞り２で適切な光量に調節される。ズームレンズ３は、画角変倍率を可変させるための変倍レンズである。
【０００４】
絞り２で光量を調節された被写体１５の光学像は、カメラ本体２００のＣＣＤ４の撮像面上に結像されて電気信号に光電変換される。この電気信号は、ＣＣＤ４から基準クロックにより読み出され、ＣＤＳ回路（二重相関サンプリング回路）５、ＡＧＣ回路（自動利得制御回路）６でサンプル／ホールドされると共に最適なゲインに増幅された後、Ａ／Ｄ変換器７で基準クロックに同期したデジタル信号に変換される。
【０００５】
デジタル信号に変換された映像データは信号処理部８に入力され、輝度信号Ｙ及び色差信号Ｒ−Ｙ、Ｂ−Ｙに変換されて出力される。また、カメラマイコン１０はレコーダ制御部と通信を行い、撮影した映像の記録、再生を行う。さらに、カメラマイコン１０は、レンズ装置１００との通信、レンズ装置１００ヘのデ電源供給のＯＮ／ＯＦＦ制御等を行う。
【０００６】
レンズ電源スイッチ１１は、バッテリからレンズ装置１００へ供給する電源のＯＮ／ＯＦＦを行うスイッチである。レンズ内部スイッチ１２及びレンズ外部スイッチ１３は、レンズ装置１００の装着の有無を検出するためのスイッチであり、その検出出力はカメラマイコン１０に送られて読込まれる。レンズマイコン１４は、カメラマイコン１０と通信を行い、フォーカス、ズーム、絞りの制御を行う。
【０００７】
図１１にレンズ装置１００をカメラ本体２００に装着する際の、レンズ内部スイッチ１２及びレンズ外部スイッチ１３の検出出力の様子を示す。また、図１２にカメラ本体２００のレンズ装着マウント部の構成を示す。
【０００８】
図１１において、レンズ装置１００が未装着時には、レンズ内部スイッチ１２はレンズ装置１００によって押されていないので、ＯＦＦしており、このとき０を出力するようになされている。
【０００９】
また、図１２において、レンズ装置１００を装着開始位置から嵌め込むと、まず、その装着面によってストッパに内臓されたレンズ外部スイッチ１３がＯＮし、このとき１を出力する。そして、レンズ装置１００を嵌め込んだまま回転させると、３０°の位置で、レンズ装置１００にある突起部がカメラマウント部のレンズ内部スイッチ１２をＯＮさせる。これにより、図１１のようにレンズ装着開始位置から３０°の位置でレンズ内部スイッチ１２が１を出力する。即ち、レンズ内部スイッチ１２は、レンズ装置１００を嵌め込む位置より３０°の位置から装着完了するまで１を出力し続けることになる。
【００１０】
また、図１２のようにレンズ外部スイッチ１３はストッパと連動しており、レンズ未装着時及びレンズ装着完了時には、ストッパピンがバネ等で突き出すようになっており、このときレンズ外部スイッチ１３は０を出力するようになっている。尚、レンズ装置側のマウント部には、レンズ装着完了位置でマウント面から突き出された上記ストッパピンを逃がすような穴が空いており、レンズ装着完了位置でストッパはレンズが装着されていない時と同じように突き出た状態になる。
【００１１】
即ち、レンズ装着時のレンズ外部スイッチ１３とレンズ内部スイッチ１２の出力は図１１のようになる。このようにレンズが装着されたか否かを検出するスイッチ１２、１３をマウント部に２個装着することにより、レンズの装着を確実に検出できることになり、完全な結合状態が検出されたときのみレンズ装置への電源供給が行われ、カメラ−レンズ間の通信が行われることになる。
【００１２】
図１３に第１の従来例におけるカメラマイコン１０のレンズ装置１００との通信及びレンズ電源スイッチ１１のＯＮ／ＯＦＦを制御する処理のフローチャートを示す。
図１３において、ステップＳ３００（以下、ステップ略）はスタートの宣言であり、一定の周期でこのフローの処理を行う。Ｓ３０１は、レンズ内部スイッチ１２がＯＮしているか否かを判別し、レンズ装置１００が嵌め込まれ３０°回転していればレンズ内部スイッチ１２は１を出力するため、Ｓ３０２に進む。レンズ装置が嵌め込まれ３０°回転していなければレンズ内部スイッチは０を出力するため、Ｓ３０５に進む。
【００１３】
Ｓ３０２では、レンズ外部スイッチ１３がＯＦＦしているか否かを判別し、レンズ装置１００が完全に装着されるとレンズ外部スイッチ１３は０を出力するため、Ｓ３０３に進む。このとき、レンズ未装着状態においてもレンズ外部スイッチ１３は０を出力するが、Ｓ３０１でレンズ内部スイッチ１２の判別を行っているため、レンズ未装着状態でＳ３０３に進むことはない。
【００１４】
Ｓ３０３では、スイッチ１２、１３の両方ともレンズ装着状態を示す出力となっているので、レンズ装置１００への電源供給のＯＮ／ＯＦＦを行うレンズ電源スイッチ１１をＯＮし、レンズ装置１００へ電源を供給する。次に、Ｓ３０４でレンズ装置１００との通信を行う。そして、Ｓ３０８で処理を終了する。
【００１５】
また、Ｓ３０１、Ｓ３０２のどちらかにおいて、レンズ装置１００が装着されていないことを示す検出出力が得られた場合はＳ３０５に進み、レンズ装置１００が装着されていないと判断し、レンズ電源スイッチ１１をＯＦＦする。次に、Ｓ３０６で、レンズ通信を待機状態にする。そして、Ｓ３０７で通信ポートをハイインピーダンス状態にする。
【００１６】
以上のように、従来のカメラマイコン１０の処理においては、レンズ検出スイツチによりレンズ装置１００が完全に装着されている場合以外はレンズ装置１００へ電源供給をしないように制御している。これによって、レンズ装着時のレンズ装置１００及びカメラ本体２００の通信ポートを保護するようにしている。即ち、レンズ装置１００が装着されていない時にレンズマウント部に電源が供給されると、金属の接触等によりショートを起こし、カメラの通信ポートを壊してしまったり、最悪の場合、発火してしまう恐れがあるが、上述のように制御することにより、このような不都合を防ぐことができる。
【００１７】
次に、図１４にレンズ交換可能なビデオカメラシステムの第２の従来例を示す。
図１４において、ｌ１５はレンズ装置、ｌ１６はレンズ装置１１５が着脱可能に装着される撮像装置としてのカメラ本体である。
【００１８】
レンズ装置１１５において、ｌ０１は結像用レンズ、１０２はワイドコンバータ、１０３は光量を調整するための絞り、ｌ１４はワイドコンバータ１０２を出し入れするためのワイドコンバータＯＮ／ＯＦＦ切り替えレバー、１１２は絞り１０３を制御するドライバ、１１３は絞り１０３の絞り値を検出するためのアイリスエンコーダ、１１１はレンズマイコンである。
【００１９】
カメラ本体１１６において、１０４は撮像素子としてのＣＣＤ、１０５はＣＤＳ／ＡＧＣ回路（二重相関サンプリング／自動利得制御回路）、１０６はアナログの映像信号をデジタル信号に変換するＡ／Ｄ変換器、１０７はカメラ信号処理回路、１０８はレコーダ部への経路、１０９はカメラマイコン、１１０はカメラマイコン１０９とレンズマイコン１１１とが通信を行うための通信ラインである。
【００２０】
次に、動作について説明する。
カメラ本体１１６にレンズ装置１１５が装着されると、カメラ本体１１６からレンズ装置１１５に電源が供給される。また、使用者はワイドコンバータＯＮ／ＯＦＦ切り替えレバー１１４を操作することにより、ワイドコンバータ１０２を光路中に出し入れして、その使用／不使用を選択することができる。このワイドコンバータ１０２を用いることにより、レンズ１０１の焦点距離範囲が短焦点側にシフトし、よりワイドな画像を撮像することができる。具体的には、狭い場所で、より多くの人々を１画面に収めたいときなどに有効である。
【００２１】
被写体（図示せず）からの光学像は、レンズ１０１を通りワイドコンバータ１０２によりワイドコンバータ１０２が無いときの焦点距離に比べて短焦点側に変化させられ、絞り１０３で適正露出に制御され、ＣＣＤ１０４に結像される。ＣＣＤ１０４により光電変換された映像信号は、ＣＤＳ／ＡＧＣ回路１０５でノイズ除去、利得制御が行われた後、Ａ／Ｄ変換器１０６でデジタル信号に変換されカメラ信号処理回路１０７に送られる。カメラ信号処理回路１０７は、デジタル映像信号を処理して所定の形式を有する映像信号と成し、この映像信号はデジタル信号のままレコーダ部１０８へ送られる。
【００２２】
次に、絞りの制御について簡単に説明する。
カメラ信号処理回路１０７で輝度情報が検出され、カメラマイコン１０９に出力される。カメラマイコン１０９は、その輝度情報を通信ライン１１０を介してレンズマイコン１１１に送信する。レンズマイコン１１１は上記輝度情報が常に一定になるようにドライバ１１２を介して絞り１０３を制御する。
【００２３】
【発明が解決しようとする課題】
図１、図１１、図１２、図１３について説明した第１の従来例において、レンズ検出スイッチ１２、１３を用いてレンズ装置１００の装着の有無を検出するような交換レンズシステムの場合、上記レンズ検出スイッチの出力がレンズ装着を示していると、カメラ本体２００はレンズ電源スイッチ１１をＯＮし、レンズ装置１００に電源を供給するように制御する。
【００２４】
例えば、エクステンダ等のアクセサリーをレンズ装置１００を装着しない状態でカメラ本体２００に装着すると、カメラ本体１００側の上記レンズ検出スイッチ１２、１３は、２個ともレンズ装着された状態を示す出力をするため、カメラマイコン１０はレンズ装置１００が完全に装着されたと判断し、レンズ電源スイッチ１１をＯＮし、レンズ装置１００に電源を供給してしまう。
【００２５】
しかし、このとき実際には、レンズ装置１００が装着されていないエクステンダのみの装着であるため、カメラ本体からエクステンダの接点ピンを介して、本来レンズ装置が装着されるはずのエクステンダのレンズ装着マウント部には電源が供給され続けるため、むき出しのエクステンダの接点ピンに金属等が接触すると、カメラマイコン１０の通信ポートを壊したり、最悪の場合は発火してしまうという第１の問題があった。
【００２８】
本発明は、上記のような問題を解決するためになされたものであり、カメラ本体にエクステンダのみ装着された場合に、確実にレンズ装置への電源供給を停止することができるようにするとともに、通信ポートのショートによる破壊を防止できるようにすることを目的としている。
【００２９】
【課題を解決するための手段】
本発明の撮像装置は、レンズ装置を着脱可能に装着する装着手段と、上記レンズ装置から得られる被写体の光学像を電気信号に変換する撮像手段と、上記レンズ装置の着脱を検出する検出手段と、上記装着手段を介して上記レンズ装置に電源を供給する電源スイッチング手段と、上記レンズ装置と通信する通信手段と、上記検出手段により上記レンズ装置が装着されていることが検出されたとき、上記電源スイッチング手段をＯＮにして上記装着手段に電源を供給し、その後所定時間内に上記通信手段による通信が正常に行われなかったとき、上記電源スイッチング手段をＯＦＦにしてレンズ通信を待機状態にするとともに、上記レンズ装置との通信に使用する通信ポートを全てハイインピーダンスにする制御手段とを設けたことを特徴とする。
【００３４】
本発明による記憶媒体においては、レンズ装置を着脱可能に装着する装着手段を介して上記レンズ装置から得られる被写体の光学像を電気信号に変換する撮像処理と、上記レンズ装置の着脱を検出する検出処理と、上記検出処理により上記レンズ装置が装着されていることが検出されたとき、上記装着手段を介して上記レンズ装置に電源を供給するための電源スイッチング手段をＯＮにして上記装着手段に電源を供給する制御処理と、上記電源供給の後上記レンズ装置と通信を行い、その通信が所定時間内に正常に行われなかったとき、上記電源スイッチング手段をＯＦＦにしてレンズ通信を待機状態にするとともに、上記レンズ装置との通信に使用する通信ポートを全てハイインピーダンスにする制御処理とを実行するためのプログラムを記憶している。
【００３７】
また、本発明による他の記憶媒体においては、レンズ装置を通じて得られる被写体の光学像を電気信号に変換する撮像処理と、上記レンズ装置に含まれる焦点距離を変換するための１つ以上のコンバータの光路中への出し入れ状態を示す情報を受信する通信処理と、上記受信した情報を表示する表示処理とを実行するためのプログラムを記憶している。
【００３８】
【発明の実施の形態】
以下、本発明の実施の形態を図面と共に説明する。
（第１の実施の形態）
図１は本発明の第１の実施の形態を示すもので、前述した第１の従来例と実質的に同一構成である。
【００３９】
前述の第１の問題を解決するために、本実施の形態においては、撮像装置としてのカメラ本体２００におけるレンズ検出スイッチ１２、１３の出力が、レンズ装置１００の装着状態を示していれば、カメラマイコン１０はレンズ装置１００に電源を供給するが、電源供給後、所定の時間内にレンズ装置１００との通信が正常に行われない場合は、エクステンダのみの装着と判断し、直ちにレンズ装置１００への電源供給を停止するように制御することを特徴とする。そして、一旦レンズ装置への電源供給を中止した場合は、レンズ検出スイッチ１２、１３がレンズ未装着状態を示す検出出力を発生し、再度レンズ装着状態を検出したときに再度レンズ装置１００への電源を供給するように制御する。
【００４０】
このように制御することにより、カメラ本体１００にエクステンダのみ装着された場合にも、むき出しのエクステンダの接点ピンに金属等が接触してショートし、カメラマイコン１０の通信ポートを壊したり、最悪の場合発火してしまうような不都合を確実に防ぐことができる。
【００４１】
図２は本実施の形態によるカメラマイコン１０の処理を示すフローチャートである。
図２において、Ｓ１００はスタートの宣言であり、一定の周期でこのフローの処理を行う。次に、Ｓ１０１でレンズ内部スイッチ１２の出力が１であるか否かを判別する。１であればＳ１０２に進む。０であればＳ１１２に進み、レンズ電源ＯＦＦフラグを０にした後、Ｓ１１３でレンズ電源スイッチ１１をＯＦＦにしてレンズ装置１００への電源供給を停止し、通信を行わないように制御する。
【００４２】
Ｓ１０２では、レンズ外部スイッチ１３の出力が０であるか否かを判別する。０であればＳ１０３に進み、１であればＳ１１２、Ｓ１１３に進んで、レンズ電源ＯＦＦフラグを０にし、レンズ装置１００への電源供給を停止して通信を行わないように制御する。
【００４３】
Ｓ１０３では、レンズ電源スイッチＯＦＦフラグが０であるか否かを判別し、１であればＳ１０４に進む。０であればＳ１１３に進み、レンズ電源スイッチ１１をＯＦＦにして、レンズ装置１００への電源供給を停止し通信を行わないように制御する。
【００４４】
Ｓ１０４では、レンズ装置１００に電源を供給してからレンズ装置との通信が正常になるまでの時間をタイマで計測するようにしているので、そのタイマが計測中であるか停止状態にあるかを判別する。タイマが計測中である場合はＳ１０６に進み、レンズ装置１００に電源を供給し、レンズ装置１００との通信を行うように制御をする。
【００４５】
また、タイマが停止状態である場合は、Ｓ１０５でタイマをスタートさせる。次にＳ１０６で、レンズ電源スイッチ１１をＯＮし、レンズ装置１００に電源を供給する。次に、Ｓ１０７でレンズ装置１００との通信を行い、次に、Ｓ１０８でレンズ装置１００との通信が正常に行われているかを判別する。通信が正常に行われていれば、Ｓ１１６でフローを終了する。
【００４６】
Ｓ１０８でレンズ装置１００との通信が正常に行われていなければ、Ｓ１０９に進み、タイマの値が所定の値Ｔ０を越えているか否かを判別する。このときタイマの比較値Ｔ０として、レンズ装置１００が装着されていれば通信が正常に行われる時間を設定しておく。これにより、Ｔ０以上の時間がかかる場合は、エクステンダのみの装着と判断して、レンズ装置１００への電源の供給を停止することができる。
【００４７】
Ｓ１０９でタイマの値がＴ０を越えていれば、Ｓ１１０でエクステンダのみの装着と判断し、タイマを停止させカウンタ値をクリアする。Ｓ１０９でタイマの値がＴ０を越えていない場合は、レンズ装置１００は初期化中かもしれないので、何もせずＳ１１６で終了する。
【００４８】
Ｓ１１０の次にＳ１１１進み、レンズ電源ＯＦＦフラグ＝１にする。ここでレンズ電源ＯＦＦフラグ＝１にするのは、一旦エクステンダのみの装着と判断してレンズ装置１００への電源供給をＯＦＦした場合は、エクステンダが外されない限りレンズ装置１００への電源を供給しないように制御するためである。
【００４９】
Ｓ１１３では、レンズ電源スイッチ１１をＯＦＦしレンズ装置１００への電源供給を停止させる。次に、Ｓ１１４に進み、レンズ通信を待機状態にする、そしてＳ１１５で、レンズ装置１００との通信に使用する通信ポートを全てハイインピーダンス状態にする。即ち、エクステンダのみの装着でマウント部に金属が接触することにより、通信ポートが破壊することを防ぐためである。次に、Ｓ１１６でフローを終了する。
【００５０】
以上のように、本実施の形態によれば、カメラマイコン１０でレンズ装置１００との通信ポートとレンズ装置１００への電源供給を制御することにより、エクステンダがレンズ装置なしでマウントされた場合にも、確実にエクステンダのマウント面で電源ピンの電源をＯＦＦすることができ、電源のショートを防ぐことができる。また、通信ポートをハイインピーダンス状態にすることができるので、通信ポートのショートによる破壊を防ぐことができる。
さらに、従来と同様の部品構成で実現することができ、カメラマイコン１０のソフトウエアの変更のみで上述の効果を得ることができる。
【００５１】
（第２の実施の形態）
図３は本発明の第２の実施の形態を示すもので、前述した第２の問題を解決するためのものである。図３においては、前述した第２の従来例の図１４と対応する部分には同一番号を付して重複する説明は省略する。
【００５２】
図３のレンズ装置１１５において、１１７は、ワイドコンバータ切り替えレバー１１４がＯＮ状態か又はＯＦＦ状態かを検出するためのワイドコンバータＯＮ／ＯＦＦ検出回路である。また、撮像装置としてのカメラ本体１１６において、１１８は、ワイドコンバータ１０２のＯＮ又はＯＦＦの状態をファインダ上に表示させるためのワイドコンバータＯＮ／ＯＦＦ表示回路である。
【００５３】
次に動作について図４、図５のフローチャートを用いて説明する。
まず、ワイドコンバータ１０２がＯＮ状態になっている場合について説明する。
使用者が、ワイドコンバータＯＮ／ＯＦＦ切り替えレバー１１４を操作してワイドコンバータ１０２をＯＮにすると、ワイドコンバータＯＮ／ＯＦＦ検出回路１１７でＯＮ状態であることが検出され、その検出情報がレンズマイコン１１１に送られる。
【００５４】
図４において、レンズマイコン１１１は、上記検出情報からワイドコンバータ１０２がＯＮの状態であることを判断する（Ｓ２０１）。ワイドコンバータ１０２がＯＮの場合は、ワイドコンバータＯＮステータスをセットし（Ｓ２０２）、そのステータスをレンズマイコン１１１から通信ライン１１０を介してカメラマイコン１０９に送信する（Ｓ２０４）。
【００５５】
図５において、カメラマイコン１０９は、通信ライン１１０を介してレンズマイコンｌ１１から各種ステータスを受信する（Ｓ４０１）。カメラマイコン１０９はワイドコンバータＯＮ／ＯＦＦステータスを判断し（Ｓ４０２）、ワイドコンバータ１０２がＯＮの場合は、ワイドコンバータＯＮの表示を行う（Ｓ４０３）。そして、ワイドコンバータＯＮ／ＯＦＦ表示回路１１８を制御する（Ｓ４０５）。
【００５６】
次に、ワイドコンバータ１０２がＯＦＦの状態になっている場合について説明する。
使用者が、ワイドコンバータＯＮ／ＯＦＦ切り替えレバー１１４を操作してワイドコンバータ１０２をＯＦＦにした時は、ワイドコンバータＯＮ／ＯＦＦ検出回路１１７でＯＦＦ状態であることを検出し、その検出情報がレンズマイコンｌ１１に送られる。
【００５７】
レンズマイコン１１１は、上記検出情報からワイドコンバータ１０２がＯＦＦの状態であることを判断する（Ｓ２０１）。ワイドコンバータ１０２がＯＦＦの場合は、ワイドコンバータＯＦＦステータスをセットし（Ｓ２０３）、そのステータスをレンズマイコン１１１から通信ライン１１０を介してカメラマイコン１０９に送信する（Ｓ２０４）。
【００５８】
カメラマイコン１０９は通信ライン１１０を介してレンズマイコン１１１から各種ステータスを受信する（Ｓ４０１）。カメラマイコン１０９は、ワイドコンバータＯＮ／ＯＦＦステータスを判断し（Ｓ４０２）、ワイドコンバータ１０２がＯＦＦの場合はワイドコンバータＯＦＦの表示を行う（Ｓ４０４）。そして、ワイドコンバータＯＮ／ＯＦＦ表示回路１１８を制御する（Ｓ４０５）。
【００５９】
図６はワイドコンバータＯＮ／ＯＦＦ表示回路１１８による表示例を示すものである。
図示の「ワイドコンバータＯＮ」という表示は、意味合いが通じればどのような表現でもよく、例えば、ワイドコンバータＯＮ時は「ＷＩＤＥ］を点灯させ、ワイドコンバータＯＦＦ時は「ＷＩＤＥ］を点滅させるようなものでもよい。
【００６０】
（第３の実施の形態）
図７は本発明の第４の実施の形態を示すもので、前述した第３の問題を解決するためのものであり、図１４と対応する部分には同一番号を付して重複する説明は省略する。
図７のレンズ装置１１５において、４０１は挿入レンズ１、４０２は挿入レンズ２である。尚、ここでいう挿入レンズ１、挿入レンズ２とは、市販されているワイドコンバータやテレコンバータのように、撮影時に焦点距離を変化させて特殊効果をねらう場合に用いられるレンズのことである。
【００６１】
４０３は挿入レンズ１（４０１）のＯＮ／ＯＦＦを切り替えるための挿入レンズ１ＯＮ／ＯＦＦ切り替えレバー、４０４は挿入レンズ２（４０２）のＯＮ／ＯＦＦを切り替えるための挿入レンズ２ＯＮ／ＯＦＦ切り替えレバー、４０５は挿入レンズ１ＯＮ／ＯＦＦ切り替えレバー４０３がＯＮ状態かＯＦＦ状態かを検出するための挿入レンズ１ＯＮ／ＯＦＦ検出回路、４０６は挿入レンズ２ＯＮ／ＯＦＦ切り替えレバー４０４がＯＮ状態かＯＦＦ状態かを検出するための挿入レンズ２ＯＮ／ＯＦＦ検出回路、４０７は挿入レンズ１又は挿入レンズ２のＯＮ又はＯＦＦの状態をファインダ上に表示させるための挿入レンズＯＮ／ＯＦＦ表示回路である。
【００６２】
次に、動作について図８、図９のフローチャートを用いて説明する。
図８において、使用者が、挿入レンズ１ＯＮ／ＯＦＦ切り替えレバー４０３を操作し、挿入レンズ１をＯＮにした時は、挿入レンズＯＮ／ＯＦＦ検出回路４０５でＯＮ状態であることを検出し、その検出情報がレンズマイコン１１１に送られる。レンズマイコン１１１は、上記検出情報から挿入レンズ１がＯＮの状態であることを判断する（Ｓ５０１）。挿入レンズ１がＯＮの場合は、挿入レンズ１ＯＮステータスをセットする（Ｓ５０２）。
【００６３】
また、挿入レンズ１ＯＮ／ＯＦＦ切り替えレバー４０３を操作し、挿入レンズ１をＯＦＦにした時は、挿入レンズ１ＯＮ／ＯＦＦ検出回路４０５でＯＦＦ状態であることを検出し、その検出情報がレンズマイコン１１１に送られる。レンズマイコン１１１は、上記検出情報から挿入レンズ１がＯＦＦの状態であることを判断する（Ｓ５０１）。挿入レンズ１がＯＦＦの場合は、挿入レンズ１ＯＦＦステータスをセットする（Ｓ５０３）。
【００６４】
本実施の形態では、図７のように挿入レンズ１、２が複数存在するため、挿入レンズ２（４０２）についても、同時に挿入レンズ１と同様な処理を行う。即ち、挿入レンズ２ＯＮ／ＯＦＦ切り替えレバー４０４を操作し、挿入レンズ２ＯＮにした時は、挿入レンズ２ＯＮ／ＯＦＦ検出回路４０６でＯＮ状態であることを検出し、その検出情報がレンズマイコン１１１に送られる。レンズマイコン１１１は、上記検出情報から挿入レンズ２がＯＮの状態であることを判断する（Ｓ５０４）。挿入レンズ２がＯＮの場合は、挿入レンズ２ＯＮステータスをセットする（Ｓ５０５）。
【００６５】
また、挿入レンズ２ＯＮ／ＯＦＦ切り替えレバー４０４を操作し、挿入レンズ２をＯＦＦにした時は、挿入レンズ２ＯＮ／ＯＦＦ検出回路４０６でＯＦＦ状態であることを検出し、その検出情報がレンズマイコン１１１に送られる。レンズマイコン１１１は、上記検出情報から挿入レンズ２がＯＦＦの状態であることを判断する（Ｓ５０４）。挿入レンズ２がＯＦＦの場合は、挿入レンズ２ＯＦＦステータスをセットする（Ｓ５０６）。
【００６６】
以上のように、複数の挿入レンズ１、２のＯＮ／ＯＦＦ状態を個々に判断してその状態に応じたステータスを生成し、そのステータスをレンズマイコン１１１から通信ライン１１０を介してカメラマイコン１０９に送信する（Ｓ５０７）。
【００６７】
図９において、カメラマイコン１０９は通信ライン１１０を介してレンズマイコン１１１から各種ステータスを受信する（Ｓ６０１）。カメラマイコン１０９は、挿入レンズ１のＯＮ／ＯＦＦステータスを判断し（Ｓ６０２）、挿入レンズ１がＯＮの場合は挿入レンズ１ＯＮの表示を行う（Ｓ６０３）。
【００６８】
もし、挿入レンズ１のＯＮ／ＯＦＦステータスを判断し（Ｓ６０２）、挿入レンズ１がＯＦＦの場合は、挿入レンズ１１ＯＦＦの表示を行う（Ｓ６０４）。そして同様に、挿入レンズ２のＯＮ／ＯＦＦステータスを判断し（Ｓ６０５）、挿入レンズ２がＯＮの場合は、挿入レンズ２ＯＮの表示を行う（Ｓ６０６）。
【００６９】
もし、挿入レンズ２のＯＮ／ＯＦＦステータスを判断し（Ｓ６０５）、挿入レンズ２ＯＦＦの場合は、挿入レンズ２ＯＦＦの表示を行う（Ｓ６０７）。そして、挿入レンズＯＮ／ＯＦＦ表示回路制御４０７を制御する（Ｓ６０８）。
【００７０】
図１０は挿入レンズＯＮ／ＯＦＦ表示回路４０７による表示例を示すものである。
図示の「ワイドコンバータＯＦＦ」や「テレコンバータＯＮ］という表示は、意味合いが通じればどのような表現でもよく、例えば、ワイドコンバータＯＮ時は「ＷＩＤＥ］を点灯させ、ワイドコンバータＯＦＦ時は「ＷＩＤＥ］を点滅させるようなものでもよい。
【００７１】
（第４の実施の形態）
次に、本発明の第４の実施の形態としての記憶媒体について説明する。
上述した図１、図３、図７のシステムは、ハードウェアで構成することもできるが、ＣＰＵとメモリを有するカメラマイコンやレンズマイコンを用いたコンピュータシステムで構成することもできる。コンピュータシステムで構成する場合、各マイコンにおける上記メモリは、本発明による記憶媒体を構成する。この記憶媒体媒体には、上記各実施の形態及び各フローチャートで説明した動作及び処理を実行するためのプログラムがそれぞれ記憶される。
【００７２】
また、この記憶媒体としては、ＲＯＭ、ＲＡＭ等の半導体メモリ、光ディスク、光磁気ディスク、磁気記憶媒体等を用いてよく、これらをＣＤ−ＲＯＭ、ＦＤ、磁気カード、磁気テープ、不揮発性メモリカード等に構成して用いてよい。
【００７３】
従って、この記憶媒体を図１、図５、図９によるシステム以外の他のシステムあるいは装置で用い、そのシステムあるいはコンピュータがこの記憶媒体に格納されたプログラムコードを読み出し、実行することによっても、上記各実施の形態と同等の機能を実現できると共に、同等の効果を得ることができ、本発明の目的を達成することができる。
【００７４】
また、コンピュータ上で稼働しているＯＳ等が処理の一部又は全部を行う場合、あるいは記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができ、本発明の目的を達成することができる。
【００７５】
【発明の効果】
以上説明したように、本発明によれば、レンズ交換可能なビデオカメラシステム等において、カメラ本体にレンズ装置を装着しない状態でエクステンダ等を装着した場合に、所定時間内にレンズ装置との通信が完了しない場合は、レンズ装置との接点部に電源が供給しないようにしてレンズ通信を待機状態にするとともに、上記レンズ装置との通信に使用する通信ポートを全てハイインピーダンスにするようにした。これにより、電源ショートによりカメラ本体を壊してしまうことを防止することができることができるとともに、カメラ本体のレンズ装置のマウント部の通信ポートのショートにより通信ポートを壊してしまうことを防止することができる。
【図面の簡単な説明】
【図１】本発明の第１の実施の形態及び第１の従来例による及びレンズ交換可能なビデオカメラシステムを示すブロック図である。
【図２】本発明の第１の実施の形態によるカメラマイコンの制御を示すフローチャートである。
【図３】本発明の第２の実施の形態によるレンズ交換可能なビデオカメラシステムを示すブロック図である。
【図４】本発明の第２の実施の形態によるレンズ装置の動作を示すフローチャートである。
【図５】本発明の第２の実施の形態によるカメラ本体の動作を示すフローチャートである。
【図６】本発明の第２の実施の形態による表示例を示す構成図である。
【図７】本発明の第３の実施の形態によるレンズ交換可能なビデオカメラシステムを示すブロック図である。
【図８】本発明の第３の実施の形態によるレンズ装置の動作を示すフローチャートである。
【図９】本発明の第３の実施の形態によるカメラ本体の動作を示すフローチャートである。
【図１０】本発明の第２の実施の形態による表示例を示す構成図である。
【図１１】第１の従来例によるレンズ内部スイッチ、レンズ外部スイッチの出力を示すタイミングチャートである。
【図１２】第１の従来例によるカメラ本体におけるマウント部の構成図である。
【図１３】第１の従来例によるカメラマイコンの処理を示すフローチャートである。
【図１４】第２の従来例によるレンズ交換可能なビデオカメラシステムを示すブロック図である。
【符号の説明】
１００  レンズ装置
２００  カメラ本体
１０  カメラマイコン
１１  レンズ電源スイッチ
１２  レンズ内部スイッチ
１３  レンズ外部スイッチ
１４  レンズマイコン
１５  被写体
１０１  レンズ
１０２  ワイドコンバータ
１０９  カメラマイコン
１１１  レンズマイコン
１１４  ワイドコンバータＯＮ／ＯＦＦ切り替えレバー
１１５  レンズ装置
１１６  カメラ本体
１１７  ワイドコンバータＯＮ／ＯＦＦ検出回路
１１８  ワイドコンバーターＯＮ／ＯＦＦ表示回路
４０１  挿入レンズ１
４０２  挿入レンズ２
４０３  挿入レンズ１ＯＮ／ＯＦＦ切り替えレバー
４０４  挿入レンズ２ＯＮ／ＯＦＦ切り替えレバー
４０５  挿入レンズ１ＯＮ／ＯＦＦ検出回路
４０６  挿入レンズ２ＯＮ／ＯＦＦ検出回路
４０７  挿入レンズＯＮ／ＯＦＦ表示回路
【図１】
0004343333.tif 000002
【図２】
0004343333.tif 000003
【図３】
0004343333.tif 000004
【図４】
0004343333.tif 000005
【図５】
0004343333.tif 000006
【図６】
0004343333.tif 000007
【図７】
0004343333.tif 000008
【図８】
0004343333.tif 000009
【図９】
0004343333.tif 000010
【図１０】
0004343333.tif 000011
【図１１】
0004343333.tif 000012
【図１２】
0004343333.tif 000013
【図１３】
0004343333.tif 000014
【図１４】
0004343333.tif 000015